(57)【要約】【課題】端子金具が上下逆向きの姿勢でキャビティに挿入されてそのまま収容されることを確実に防ぐことが可能なコネクタハウジングを提供する。【解決手段】角筒状をなす端子本体部２１の外側面に凸部２２が設けられた端子金具２０を収容可能なキャビティ１１が設けられ、前記キャビティ１１には、前記端子本体部２１が収容される本体収容部１３と、前記端子金具２０が正規の姿勢で前記キャビティ１１に挿入された場合に前記凸部２２が入り込んで前進可能な溝部１７とが設けられ、前記キャビティ１１のうち前記本体収容部１３の手前側には、前記端子金具２０が上下逆向きの姿勢で前記キャビティ１１に挿入された場合に前記凸部２２に当接して前記端子本体部２１を角変位させる誘導部１８が備えられている。【選択図】図８
2016039100.tif 000002
【特許請求の範囲】
【請求項１】
角筒状をなす端子本体部の外側面に凸部が設けられた端子金具を収容可能なキャビティが設けられ、
前記キャビティには、前記端子本体部が収容される本体収容部と、前記端子金具が正規の姿勢で前記キャビティに挿入された場合に前記凸部が入り込んで前進可能な溝部とが設けられ、
前記キャビティのうち前記本体収容部の手前側には、前記端子金具が上下逆向きの姿勢で前記キャビティに挿入された場合に前記凸部に当接して前記端子本体部を角変位させる誘導部が備えられているコネクタハウジング。
【請求項２】
前記誘導部が、傾斜面を有する突起とされている請求項１に記載のコネクタハウジング。
【発明の詳細な説明】
【技術分野】
【０００１】
本発明は、コネクタハウジングに関する。
【背景技術】
【０００２】
従来、本体部の外側面にスタビライザが突設された端子金具が収容されるコネクタハウジングが知られている（例えば下記特許文献１に記載）。このコネクタハウジングには、端子金具が後方から挿入されるキャビティが複数設けられ、各キャビティには、端子金具が正規の姿勢で挿入された場合にスタビライザが入り込んで前進可能な溝部が形成されている。そして、端子金具が上下逆向きの姿勢でキャビティに挿入された場合には、スタビライザがキャビティの縁部に当接して、それ以上の挿入動作が制限されるようになっている。
【先行技術文献】
【特許文献】
【０００３】
【特許文献１】特開２０１３−９８０７２号公報
【発明の概要】
【発明が解決しようとする課題】
【０００４】
ところで、一般にキャビティは入り口側よりも奥側が狭くなっている。このため、キャビティに端子金具を挿入する際には、端子金具が正規の姿勢で挿入された場合であっても、キャビティが狭まるところで挿入抵抗が生じる。したがって、上記のような構成では、端子金具が上下逆向きの姿勢で挿入された場合に、スタビライザがキャビティの縁部に当接しているにもかかわらず、作業者が正常時に生じる挿入抵抗だと勘違いし、端子金具を押し続けることによってスタビライザがキャビティの縁部を押し広げるようにして端子金具がキャビティ内を前進し、そのまま収容されてしまう虞があった。
【０００５】
本発明は上記のような事情に基づいて完成されたものであって、端子金具が上下逆向きの姿勢でキャビティに挿入されてそのまま収容されることを確実に防ぐことが可能なコネクタハウジングを提供することを目的とする。
【課題を解決するための手段】
【０００６】
本発明のコネクタハウジングは、角筒状をなす端子本体部の外側面に凸部が設けられた端子金具を収容可能なキャビティが設けられ、前記キャビティには、前記端子本体部が収容される本体収容部と、前記端子金具が正規の姿勢で前記キャビティに挿入された場合に前記凸部が入り込んで前進可能な溝部とが設けられ、前記キャビティのうち前記本体収容部の手前側には、前記端子金具が上下逆向きの姿勢で前記キャビティに挿入された場合に前記凸部に当接して前記端子本体部を角変位させる誘導部が備えられているものである。
【発明の効果】
【０００７】
本発明によれば、端子金具が正規の姿勢でキャビティに挿入された場合には、凸部が溝部に入って端子金具の前進が許容され、端子金具が上下逆向きの姿勢でキャビティに挿入された場合には、凸部が誘導部に当接して端子本体部が回転し、その角部がキャビティの周縁部に当接する。したがって、端子金具が上下逆向きの姿勢でキャビティに挿入された場合の当接力が、例えばスタビライザのみがキャビティの周縁部に当接する場合に比して強いから、作業者が端子金具を押し続けたとしても端子金具の前進が確実に制限され、もって端子金具が上下逆向きの姿勢でキャビティに挿入されてそのまま収容されることを確実に防ぐことができる。
【図面の簡単な説明】
【０００８】
【図１】本実施例におけるコネクタハウジングを示す背面図
【図２】コネクタハウジングを示す断面図であって、図１のＡ−Ａ位置における断面に相当する断面図
【図３】コネクタハウジングを示す断面図であって、図１のＢ−Ｂ位置における断面に相当する断面図
【図４】電線の端末部に固着された端子金具を示す平面図
【図５】端子金具の形状を示す断面図であって、図４のＣ−Ｃ位置における断面に相当する断面図
【図６】端子金具が正規の姿勢でキャビティに挿入された状態を示すコネクタハウジングの一部拡大断面図
【図７】端子金具が上下逆向きの姿勢でキャビティに挿入された様子を示すコネクタハウジングの一部拡大断面図であって、図３の一部を拡大した断面図
【図８】誘導部によって端子金具が反時計回りに回転する様子を示すコネクタハウジングの一部拡大断面図
【図９】誘導部によって端子金具が時計回りに回転する様子を示すコネクタハウジングの一部拡大断面図
【発明を実施するための形態】
【０００９】
本発明の好ましい形態を以下に示す。
本発明のコネクタハウジングは、前記誘導部が、傾斜面を有する突起とされているものとしてもよい。このような構成によれば、端子本体部の角変位をスムーズに行うことができる。
【００１０】
＜実施例＞
以下、本発明を具体化した一実施例について、図１〜図９を参照しつつ詳細に説明する。本実施例におけるコネクタハウジング１０は、角筒状をなす端子本体部２１の外側面に凸部２２が設けられた端子金具２０が収容されるものである。以下、各構成部材において、図２の左側（図示しない相手側コネクタとの嵌合方向における前側）を前方、右側を後方として説明する。
【００１１】
端子金具２０は、金属平板を打ち抜いて曲げ加工することにより、全体として前後方向に細長い形状に形成されている（図４参照）。端子金具２０は雌型の端子金具２０であり、図示しない雄型の端子金具と接続可能とされている。
【００１２】
端子金具２０の前側部分には、前方から相手端子金具の雄タブが挿入可能な角筒状をなす端子本体部２１が設けられている。端子本体部２１は、図５に示すように、底板部２１Ｔの幅方向の両側縁から上方に起立する一対の側板部２１Ｓと、その側板部２１Ｓの上端から底板部２１Ｔと対向するように屈曲された２枚重ねの上板部２１Ｕとを有し、端子本体部２１には４つの角部２３が形成されている。端子本体部２１の内部には、挿入された雄タブを弾性的に挟持可能な弾性片２４が設けられている。
【００１３】
端子本体部２１の上面側には、コネクタハウジング１０に設けられたランス１２が係止可能なランス係止部２５が設けられている。ランス係止部２５は、端子本体部２１のうち前端寄りに位置している。
【００１４】
また、端子本体部２１の上面側には、スタビライザ２６が突設されている。スタビライザ２６は、端子本体部２１の幅方向における略中央に設けられ、その幅方向の中央が最も高く突出するドーム状に形成されている。スタビライザ２６の前面は、前方に向かって下がる傾斜をなし、スタビライザ２６の後面は、ランス係止部２５と前後方向の位置が揃っている。なお、端子本体部２１のうち後端部には、スタビライザ２６と突出寸法が同等で、スタビライザ２６よりも幅寸法が若干小さい突起部２７が突設されている（図５参照）。
【００１５】
端子本体部２１の一対の側板部２１Ｓのうち一方の側板部２１Ｓには、凸部２２が設けられている（図５参照）。凸部２２は、端子本体部２１の側板部２１Ｓの上下方向における略中央に設けられている。凸部２２は、図４に示すように、端子本体部２１の前端寄りに位置し、前後方向の位置はスタビライザ２６の前後方向の位置とほぼ同じとされている。凸部２２の上面２２Ｕは、図５に示すように、下方に向かって少しずつ側板部２１Ｓからの突出寸法が増す傾斜をなし、凸部２２の下面２２Ｓは、側板部２１Ｓに対して略垂直をなしている。また、凸部２２の前面２２Ｍは、図４に示すように、外側への突出寸法が後方に向かって次第に増す傾斜をなし、凸部２２の後面２２Ｈは、外側への突出寸法が後方に向かって次第に小さくなる傾斜をなしている。なお、凸部２２の後面２２Ｈの傾斜は、前面２２Ｍの傾斜よりも勾配が緩くされている。
【００１６】
端子金具２０の後側部分には、電線Ｗの芯線をかしめ固定するワイヤバレル部２８と、ゴム栓Ｇともども電線Ｗの被覆部をかしめ固定するインシュレーションバレル部２９とが設けられている。ゴム栓Ｇは、例えばシリコン製であって全体として円筒状をなし、その外周面には前後方向に一定間隔をあけて複数のリップが突出して設けられている。
【００１７】
コネクタハウジング１０には、端子金具２０が収容されるキャビティ１１が複数（本実施例では４つ）設けられている（図１参照）。キャビティ１１は、コネクタハウジング１０に１段に並べて設けられている。各キャビティ１１には、後方から端子金具２０が挿入可能とされている。
【００１８】
各キャビティ１１の前側部分には、端子金具２０の端子本体部２１が収容される本体収容部１３が設けられている。本体収容部１３は、端子本体部２１に整合する断面略方形状をなして前方に開口している。なお、コネクタハウジング１０の前面側には、図示しないフロントホルダが被せ付けられる。
【００１９】
各本体収容部１３には、端子金具２０に係止してその抜け止めを図るランス１２が設けられている（図２参照）。ランス１２は、本体収容部１３の下面に設けられ、前方に延びる片持ち状をなし、その前端が、キャビティ１１に収容された端子金具２０のランス係止部２５に係止する。ランス１２は、上下方向に弾性撓み可能とされている。
【００２０】
各キャビティ１１の後側部分には、ゴム栓Ｇが収容されるゴム栓収容部１４が設けられている。ゴム栓収容部１４は断面略円形状をなし、ゴム栓Ｇのリップ部がゴム栓収容部１４の内周面に密着することで、キャビティ１１の内部に水が浸入することが制限される。
【００２１】
各キャビティ１１のうちゴム栓収容部１４と本体収容部１３との間には、ゴム栓収容部１４から本体収容部１３に向かってキャビティ１１の幅寸法（上下左右の寸法）を徐々に狭めつつその断面形状を略円形断面から略方形断面に移行させる断面変化部１５が設けられている。断面変化部１５は、ゴム栓収容部１４から本体収容部１３に向かって徐々にキャビティ１１内への張り出し寸法が増す傾斜面１５Ｋを有している。
【００２２】
各キャビティ１１には、端子金具２０が正規の姿勢でキャビティ１１に挿入された場合に、スタビライザ２６が入り込んで前進可能な第１溝部１６が設けられている（図６参照）。第１溝部１６は、キャビティ１１の下面側に設けられている。第１溝部１６は、スタビライザ２６の外形に沿う曲面を有して下側に凹んだ形態とされている。第１溝部１６は、断面変化部１５から前後方向に延びて設けられている。
【００２３】
また、各キャビティ１１には、端子金具２０が正規の姿勢でキャビティ１１に挿入された場合に、凸部２２が入り込んで前進可能な第２溝部１７が設けられている（図６参照）。第２溝部１７は、端子金具２０が正規の姿勢でキャビティ１１に挿入された場合に、凸部２２が配される側の壁面（図６における左側の壁面）に設けられている。第２溝部１７は、前後方向から見た断面形状が方形状をなしている。第２溝部１７は凸部２２の突出寸法に比してほぼ２倍の深さ寸法（凹み寸法）を有している。第２溝部１７は、第１溝部１６と同様、断面変化部１５から前後方向に延びて設けられている。
【００２４】
さて、各キャビティ１１には、端子金具２０が上下逆向きの姿勢でキャビティ１１に挿入された場合に凸部２２に当接して端子本体部２１を角変位させる誘導部１８が設けられている。
【００２５】
誘導部１８はすべてのキャビティ１１に一ずつ設けられている（図１参照）。誘導部１８は、端子金具２０が上下逆向きの姿勢でキャビティ１１に挿入された場合に、凸部２２が配される側の壁面（第２溝部１７と対向する側の壁面）に設けられている。誘導部１８は、端子金具２０の凸部２２に対応して各キャビティ１１の上下方向における略中央に位置している。誘導部１８は、各キャビティ１１の本体収容部１３の手前側に設けられている。
【００２６】
誘導部１８は、図２に示すように、ゴム栓収容部１４の前端部から断面変化部１５の前端に至る範囲に形成された突起である。誘導部１８の前端は本体収容部１３に連なり、後端はゴム栓収容部１４に連なっている。
【００２７】
誘導部１８の上面および下面は、端子金具２０の挿入方向に対して傾斜する第１傾斜面１８Ｆとされている。上下の第１傾斜面１８Ｆは、誘導部１８の後端から前方に向かって互いの間隔が広くなるように傾斜している。これにより、誘導部１８をキャビティ１１の中心側から見た形状は、後端から前方に向かって次第に幅寸法（上下方向の寸法）が増す、前後方向に細長い三角形状をなしている。第１傾斜面１８Ｆは、ゴム栓収容部１４および断面変化部１５に対して起立している。
【００２８】
誘導部１８の後端部には、図３に示すように、端子金具２０の挿入方向に対して傾斜する第２傾斜面１８Ｓが形成されている。第２傾斜面１８Ｓは、その全体がゴム栓収容部１４内に位置し、誘導部１８の全長のうちゴム栓収容部１４内に位置する部分の略半分に形成されている。第２傾斜面１８Ｓは、後端から前方に向かって少しずつキャビティ１１内への突出寸法が増す傾斜をなし、その最大突出寸法（前端における突出寸法）は、ゴム栓収容部１４と本体収容部１３との段差分の寸法とされている。第２傾斜面１８Ｓは、断面変化部１５よりも前後方向の寸法が小さく、断面変化部１５よりも急勾配で傾斜している。
【００２９】
誘導部１８のうち第２傾斜面１８Ｓよりも前側の部分には、図３に示すように、端子金具２０の挿入方向（本体収容部１３の壁面）に略平行な平行面１８Ｈが形成されている。平行面１８Ｈは、本体収容部１３の壁面に段差なく連なっている。
【００３０】
次に、端子金具２０をコネクタハウジング１０に収容する作業の一例について説明する。
端子金具２０を正規の姿勢（ランス係止部２５がランス１２と同じ側に配される姿勢）にして後方からキャビティ１１に挿入すると、端子金具２０の端子本体部２１がキャビティ１１のゴム栓収容部１４を通過し、やがて断面変化部１５に至る。そして、図６に示すように、スタビライザ２６が第１溝部１６に、また凸部２２が第２溝部１７に進入し、端子金具２０のさらなる前進が許容される。この際、端子本体部２１は、幅寸法が大きいゴム栓収容部１４から幅寸法が徐々に狭まる断面変化部１５に至るため、作業者は、若干の挿入抵抗を感じつつ端子金具２０を前方へ押すことになる。やがて、端子金具２０は、端子本体部２１の前端部でランス１２を下方に押圧して撓ませ、キャビティ１１の本体収容部１３内を前進する。その際、スタビライザ２６は、ランス１２の上面に形成された第１溝部１６内を通過する。そして、端子本体部２１の略全体がキャビティ１１の本体収容部１３に収まると、ランス１２が弾性復帰してランス係止部２５に係止し、またゴム栓Ｇがゴム栓収容部１４に密着した状態になる。こうして端子金具２０はキャビティ１１の正規の位置に収容されて抜け止めされる。このような端子金具２０の挿入作業を全ての端子金具２０について順に行う。
【００３１】
ここで、端子金具２０を上下逆向きの姿勢（ランス係止部２５がランス１２とは反対側に配される姿勢）でキャビティ１１に挿入してしまうことがある。このような場合には、図７に示すように、端子金具２０の前端がキャビティ１１のゴム栓収容部１４を通過して断面変化部１５に至った頃に、凸部２２が誘導部１８の第２傾斜面１８Ｓに突き当たる。すると、凸部２２は、図８または図９に示すように、スペースに余裕がある誘導部１８の上方または下方に逃げ、これに伴って端子本体部２１が回転（角変位）して傾いた姿勢になる。そして、端子本体部２１は、第１傾斜面１８Ｆの傾斜によってその角変位が増す方向により大きく傾き、やがて端子本体部２１の前端の四つの角部２３が断面変化部１５の傾斜面１５Ｋに当接する。これにより、仮に作業者が端子金具２０を押したとしても、端子金具２０の前進ができなくなる。したがって、作業者は端子金具２０の姿勢の誤りに気付くことができ、端子金具２０を正しい姿勢で挿入しなおすことができる。
そして、すべての端子金具２０を正しい姿勢でキャビティ１１に挿入し終えたら、端子金具２０をコネクタハウジング１０に収容する作業が完了する。
【００３２】
次に、上記のように構成された実施例の作用および効果について説明する。
本実施例のコネクタハウジング１０には、角筒状をなす端子本体部２１の外側面に凸部２２が設けられた端子金具２０を収容可能なキャビティ１１が設けられ、キャビティ１１には、端子本体部２１が収容される本体収容部１３と、端子金具２０が正規の姿勢でキャビティ１１に挿入された場合に凸部２２が入り込んで前進可能な第２溝部１７とが設けられ、本体収容部１３の手前側には、端子金具２０が上下逆向きの姿勢でキャビティ１１に挿入された場合に凸部２２に当接して端子本体部２１を角変位させる誘導部１８が備えられている。
【００３３】
この構成によれば、端子金具２０が正規の姿勢でキャビティ１１に挿入された場合には、凸部２２が第２溝部１７に入って端子金具２０の前進が許容され、端子金具２０が上下逆向きの姿勢でキャビティ１１に挿入された場合には、凸部２２が誘導部１８に当接して端子本体部２１が回転し、その角部２３がキャビティ１１の周縁部に当接する。したがって、端子金具２０が上下逆向きの姿勢でキャビティ１１に挿入された場合の当接力が、例えばスタビライザのみがキャビティの周縁部に当接する場合に比して強いから、作業者が端子金具２０を押し続けたとしても端子金具２０の前進が確実に制限され、もって端子金具２０が上下逆向きの姿勢でキャビティ１１に挿入されてそのまま収容されることを確実に防ぐことができる。
【００３４】
＜他の実施例＞
本発明は上記記述及び図面によって説明した実施例に限定されるものではなく、例えば次のような実施例も本発明の技術的範囲に含まれる。
（１）上記実施例では、端子金具２０に設けられた凸部２２の形状を詳細に説明しているが、凸部の形状は上記の形状に限らず、どのような形状であってもよい。
（２）上記実施例では、誘導部１８に第１傾斜面１８Ｆおよび第２傾斜面１８Ｓが設けられているが、これに限らず、例えば、誘導部の後端部に、端子金具の挿入方向に対して略直交する面を設けてもよく、また誘導部の上下両面は端子金具の挿入方向に対して略平行な面としてもよい。
（３）上記実施例では、端子金具２０は雌型の端子金具であるが、これに限らず、端子金具は雄型の端子金具であってもよい。
（４）上記実施例では、キャビティ１１が１段に設けられているが、これに限らず、キャビティは２段以上にわけて設けても良い。
（５）上記実施例では、端子金具２０にスタビライザ２６が設けられているが、これに限らず、端子金具にスタビライザを設けなくても良い。
【符号の説明】
【００３５】
１０…コネクタハウジング
１１…キャビティ
１３…本体収容部
１７…第２溝部（溝部）
１８…誘導部
１８Ｆ…第１傾斜面（傾斜面）
１８Ｓ…第２傾斜面（傾斜面）
２０…端子金具
２１…端子本体部
２２…凸部
【図１】
2016039100.tif 000003
【図２】
2016039100.tif 000004
【図３】
2016039100.tif 000005
【図４】
2016039100.tif 000006
【図５】
2016039100.tif 000007
【図６】
2016039100.tif 000008
【図７】
2016039100.tif 000009
【図８】
2016039100.tif 000010
【図９】
2016039100.tif 000011